(57)【特許請求の範囲】
【請求項１】
連続帳票の連続方向に対して直交するミシン目を、前記連続帳票の連続方向に一定間隔で順次設けるための切れ刃を外周回りに設け、前記連続帳票の搬送とともに回転駆動される切れ刃ローラ部と、
前記切れ刃ローラ部に対して前記連続帳票の搬入側に設けられ、回転自在かつ軸方向に移動可能に支持され、前記連続帳票と接触して回転駆動されるとともに、前記連続帳票の幅に対応する間隔を介して外周回りに設けた一組のガイドにより前記連続帳票の位置を規制する搬送ローラ部と、
ハンドル部により送りネジを回転させ、該送りネジの回転量に相当する量だけ前記搬送ローラ部の位置を軸方向に移動させる位置調整部と、
前記切れ刃ローラ部及び前記搬送ローラ部を回転駆動する駆動部と
を備えることを特徴とするミシン目加工装置。
【請求項２】
請求項１に記載のミシン目加工装置において、
前記搬送ローラ部の近傍に設けられ、前記連続帳票を一定力で前記搬送ローラ部に押し付ける押し付けローラ部を備えることを特徴とするミシン目加工装置。
【請求項３】
請求項１又は請求項２に記載のミシン目加工装置において、
前記搬送ローラ部の前記ガイドは、リング状体をなして嵌合されるとともに、前記ガイドの半径方向に形成されたネジ穴を用いてネジにより軸方向の任意の位置にネジ止め可能に形成されていることを特徴とするミシン目加工装置。
【請求項４】
請求項１から請求項３までのいずれか１項に記載のミシン目加工装置において、
前記位置調整部は、前記搬送ローラ部から延長される軸に所定間隔を介して一組の支持ローラを固定し、前記支持ローラ間に移動部材をガタなく配置するとともに前記移動部材を摺動板上に搭載し、前記移動部材に形成したメネジ部とネジ結合させたオネジ部に前記ハンドル部を連結したものであることを特徴とするミシン目加工装置。
【発明の詳細な説明】
【０００１】
【発明の属する技術分野】
本発明は、連続帳票にミシン目を形成するミシン目加工装置に関し、特に連続帳票の連続方向に対するミシン目の傾斜を調整する機構に関するものである。
【０００２】
【従来の技術】
従来より、連続帳票の連続方向に対して直交する折り返し可能かつ裁断可能なミシン目を、連続帳票の連続方向に一定間隔で形成し、連続帳票の加工後に、各ミシン目を交互に反対方向に折り返して連続帳票を折りたたみ、積み重ねていく方法が知られている。
図７及び図８は、それぞれ、従来の一例であるミシン目加工装置１を示す平面図及び側面図である。連続帳票１００は、図７中、上下方向に連続し、その左右両側端には一定間隔で連続するスプロケット孔１０１（１０１Ａ及び１０１Ｂ）が形成されている。
【０００３】
切れ刃ローラ部２は、連続帳票１００にミシン目１０２を設けるためのものであり、その外周面上には、円周方向に所定間隔で設けられた複数（この例では３つ）の切れ刃２ａが取り付けられている。そして、連続帳票１００の搬送とともに切れ刃ローラ部２が回転し、切れ刃２ａが連続帳票１００に順次ミシン目１０２を形成する。
【０００４】
また、切れ刃ローラ部２の前後側には、それぞれピントラクタユニット３（３Ａ及び３Ｂ）が設けられており、連続帳票１００のスプロケット孔１０１がピントラクタユニット３のピン３ａと係合し、ピントラクタユニット３の駆動により連続帳票１００が搬送される。
そして、ミシン目１０２が形成された連続帳票１００は、図９に示すように、ミシン目１０２が交互に反対方向に折り返され、折りたたまれて積み重ねられていく。
【０００５】
【発明が解決しようとする課題】
しかし、前述の従来のミシン目加工装置１において、ミシン目１０２は、連続帳票１００の連続方向に対して直交する方向に、すなわち連続帳票１００の連続方向とミシン目１０２とが９０度で交差するように形成するのが理想であるが、切れ刃２ａの取付誤差、連続帳票１００の紙質、左右のスプロケット孔１０１の位置ズレ等により、連続帳票１００の連続方向に対して直交する方向から多少傾斜してしまうのが実状であった。
ここで、ミシン目１０２の傾斜が大きいと、ミシン目１０２間の単票部が長方形にならず、連続帳票１００をミシン目１０２から折り返して積み重ねたときに、図１０に示すように高さ方向で傾斜してしまい、不安定な状態になるとともに、品質が低下するという問題がある。
【０００６】
したがって、これを防止するために、ミシン目加工装置１を一旦停止し、例えば、切れ刃ローラ部２の切れ刃２ａの取付位置を傾ける等により、調整を行う必要があった。しかし、この調整が極めて煩雑であり、作業能率が低下するという問題があった。
したがって、本発明が解決しようとする課題は、簡易かつ迅速にミシン目の傾斜を調整できるミシン目加工装置を提供することである。
【０００７】
【課題を解決するための手段】
上述の課題を解決するために、請求項１の発明は、連続帳票の連続方向に対して直交するミシン目を、前記連続帳票の連続方向に一定間隔で順次設けるための切れ刃を外周回りに設け、前記連続帳票の搬送とともに回転駆動される切れ刃ローラ部と、前記切れ刃ローラ部に対して前記連続帳票の搬入側に設けられ、回転自在かつ軸方向に移動可能に支持され、前記連続帳票と接触して回転駆動されるとともに、前記連続帳票の幅に対応する間隔を介して外周回りに設けた一組のガイドにより前記連続帳票の位置を規制する搬送ローラ部と、ハンドル部により送りネジを回転させ、該送りネジの回転量に相当する量だけ前記搬送ローラ部の位置を軸方向に移動させる位置調整部と、前記切れ刃ローラ部及び前記搬送ローラ部を回転駆動する駆動部とを備えることを特徴とする。
【０００８】
請求項２の発明は、請求項１に記載のミシン目加工装置において、前記搬送ローラ部の近傍に設けられ、前記連続帳票を一定力で前記搬送ローラ部に押し付ける押し付けローラ部を備えることを特徴とする。
【０００９】
請求項３の発明は、請求項１又は請求項２に記載のミシン目加工装置において、前記搬送ローラ部の前記ガイドは、リング状体をなして嵌合されるとともに、前記ガイドの半径方向に形成されたネジ穴を用いてネジにより軸方向の任意の位置にネジ止め可能に形成されていることを特徴とする。
【００１０】
請求項４の発明は、請求項１から請求項３までのいずれか１項に記載のミシン目加工装置において、前記位置調整部は、前記搬送ローラ部から延長される軸に所定間隔を介して一組の支持ローラを固定し、前記支持ローラ間に移動部材をガタなく配置するとともに前記移動部材を摺動板上に搭載し、前記移動部材に形成したメネジ部とネジ結合させたオネジ部に前記ハンドル部を連結したものであることを特徴とする。
【００１１】
【作用】
請求項１の発明においては、連続帳票は、搬送ローラ部のガイドにより位置決めされた状態で搬送ローラ部と接触して搬送される。そして、連続帳票には切れ刃ローラ部によりミシン目が形成される。ミシン目の方向が傾斜しているときは、位置調整部のハンドル部を回転させることにより、搬送ローラ部が軸方向に移動され、連続帳票の切れ刃ローラ部への搬入角度が変えられ、ミシン目の傾斜の微調整が行われる。
【００１２】
請求項２の発明においては、連続帳票は、押し付けローラ部により一定力で搬送ローラ部に押し付けられる。したがって、連続帳票の搬送ローラ部との一定の接触面積が確保される。また、連続帳票に一定の張力が与えられるので、連続帳票にしわが発生しにくくなる。
請求項３の発明においては、ガイドは、ネジ止めにより固定される。したがって、所望の位置に、かつ所望の間隔でガイドを固定することができる。
請求項４の発明においては、ハンドル部の回転によりオネジ部が回転され、そのオネジ部とネジ結合する移動部材は、摺動板上を移動する。この移動量だけ搬送ローラ部が軸方向に移動される。
【００１３】
【発明の実施の形態】
以下、図面等を参照して、本発明の一実施形態について説明する。図１は、本発明によるミシン目加工装置の一実施形態を示す斜視図である。また、図２は、図１の正面図であり、図３は、図１の要部側面図である。先ず、ミシン目加工装置１０の構成について説明する。
【００１４】
本実施形態のミシン目加工装置１０は、連続帳票１００（図１〜図３中、２点鎖線部）の連続方向に対して直交するミシン目を、連続帳票１００の連続方向に一定間隔で順次設けるための切れ刃ローラ部２０と、連続帳票１００の切れ刃ローラ部２０への搬入側に設けられた搬送ローラ部３０と、搬送ローラ部３０の軸方向の位置を調整する位置調整部４０と、連続帳票１００を搬送ローラ部３０に押し付ける押し付けローラ部５０と、切れ刃ローラ部２０及び搬送ローラ部３０を回転駆動する駆動部６０等とを備える。
【００１５】
切れ刃ローラ部２０は、下側ローラ２１と上側ローラ２２とから構成され、上側ローラ２２には、切れ刃２３が取り付けられている。切れ刃２３は、図３に示すように、上側ローラ２３の外周回りに、１２０度の等間隔で３つ設けられている。すなわち、本実施形態では、連続帳票１００のミシン目間の長さは、上側ローラ２２の１２０度の円弧長となる。
【００１６】
図４は、上側ローラ２２に切れ刃２３が取り付けられた状態を詳細に示す断面図である。上側ローラ２２の切れ刃２３が取り付けられる部分には、その軸方向に延在する断面凹状の溝部２２ａが形成されており、この溝部２２ａに切れ刃２３の先端部が突出した状態で挿入されるとともに、固定部材２４により固定されている。
【００１７】
搬送ローラ部３０は、円筒形状の基体３１と、この基体３１に貫通固定された軸３２と、基体３１の外周に取り付け固定された一対のガイド３３（３３Ａ及び３３Ｂ）等とを備える。
軸３２は、ミシン目加工装置１０の両側に対向配置された一対のサイドフレーム１１（１１Ａ及び１１Ｂ）に、回転自在かつ軸方向に移動可能に支持されている。そして、この軸３２は、サイドフレーム１１の外側に延在しており、サイドフレーム１１Ａの外側にはストッパ１２（図２）が固定されている。また、サイドフレーム１１Ｂの外側には位置調整部４０の支持ローラ４１Ａ、４１Ｂ（後述）が固定されている。
【００１８】
ガイド３３は、リング状体をなしており、連続帳票１００の幅と同一間隔を隔てて基体３１に固定されている。ガイド３３は、連続帳票１００の幅方向の動きを規制する。
図５は、ガイド３３が基体３１に固定された状態を詳細に示す断面図である。ガイド３３の外周の１又は２以上の箇所には、図５に示すように、その半径方向に貫通するネジ穴３３ａが形成されている。そして、このネジ穴３３ａにネジＳを挿入し、締め付けることにより、ネジＳの軸下端が基体３１に圧接し、ガイド３３が固定されている。よって、ガイド３３は、連続帳票１００の幅に応じて任意の位置に固定可能となっている。
【００１９】
位置調整部４０において、支持ローラ４１（４１Ａ及び４１Ｂ）は、搬送ローラ部３０の軸３２のサイドフレーム１１Ｂより外側に延在した部分に所定間隔を隔てて固定されている。移動部材４２は、その上面側が略凹状をなし、軸３２と一部が嵌合しているとともに、支持ローラ４１間にガタなく挿入されている。摺動板４３は、サイドフレーム１１Ｂに固定されており、移動部材４２を搭載している。
【００２０】
これにより、移動部材４２は、摺動板４３上を摺動可能となっている。さらに、摺動板４３は、略Ｌ字状に形成され、その立設部にはハンドル部４４が回転自在に取り付けられている。このハンドル部４４のサイドフレーム１１Ｂ側には、オネジ部４５が連結されており、さらに、移動部材４２にはメネジ部４６が形成され、これらのオネジ部４５とメネジ部４６とがネジ結合している。
【００２１】
また、サイドフレーム１１Ｂには、押し付けローラ部５０が固定されている。押し付けローラ部５０は、サイドフレーム１１Ｂに固定された腕部５１と、この腕部５１に連結された基体５２と、基体５２の先端部に回転自在に支持されたローラ５３等とから構成されている。そして、このローラ５３は、搬送ローラ部３０の両ガイド３３Ａと３３Ｂとの略中央部であって基体３１近傍に配置されている。
【００２２】
駆動部６０は、切れ刃ローラ部２０及び搬送ローラ部３０に動力を伝達する。駆動部６０は、先ず、切れ刃ローラ部２０の下側ローラ２１及び上側ローラ２２を回転駆動させ、さらにこの回転を搬送ローラ部３０に伝達する。
【００２３】
搬送ローラ部３０の軸３２のサイドフレーム１１Ａ内側近傍には、プーリ６１が固定されている。さらに、軸３２と平行に軸６２がサイドフレーム１１に回転自在に支持されており、この軸６２には２つのプーリ６３及び６４が固定されている。そして、プーリ６１と６４との間に無端ベルト６５が掛けられている。また、プーリ６３には、切れ刃ローラ部２０側と係合する無端ベルト６６が掛けられている。なお、サイドフレーム１１Ａには回動自在な腕６７が取り付けられ、この腕６７先端部にはテンションローラ６８が回転自在に支持されている。そして、テンションローラ６８は、無端ベルト６５を押し付け、無端ベルト６５のたるみをとっている。
【００２４】
次に、ミシン目加工装置１０の動作について説明する。
連続帳票１０は、搬送ローラ部３０のガイド３３間に配置された状態で基体３１に接触し、切れ刃ローラ部２０の下側ローラ２１と上側ローラ２２との間を通過するように配置される。さらに、連続帳票１００は、図３に示すように押し付けローラ部５０のローラ５３とも接触し、基体３１に押し付けられている。
【００２５】
駆動源（図示せず）の駆動により切れ刃ローラ部２０の下側ローラ２１及び上側ローラ２２が回転される。また、この駆動力が無端ベルト６６からプーリ６３に伝達され、軸６２、プーリ６４、無端ベルト６５及びプーリ６１を介して軸３２が回転されることにより、搬送ローラ部３０が回転される。そして、搬送ローラ部３０の基体３１は、連続帳票１００の搬送速度で回転される。また、切れ刃ローラ部２０で、上側ローラ２２に取り付けられた切れ刃２３により、連続帳票１００の連続方向に対して直交する方向のミシン目１０２が、連続帳票１００の連続方向に等間隔で順次形成される（図６）。
【００２６】
ミシン目１０２の形成時に、切れ刃２３の取付誤差、連続帳票１００の紙質、左右のスプロケット孔１０１の位置ズレ等により、ミシン目１０２が傾斜しているときは、位置調整部４０により、ミシン目１０２と連続帳票１００の連続方向とが直交するように調整する。
作業者は、調整を行うときは、位置調整部４０のハンドル部４４を所定方向に所定量回転させる。回転方向によりいずれの方向の傾斜をも矯正することができる。また、回転量によりその矯正量を設定することができる。
【００２７】
このハンドル部４４の回転により、オネジ部４５が回転され、このオネジ部４５に連結された移動部材４２は、軸３２と摺動板４３とによって挟持されて回転不能であるので、摺動板４３上を移動する。移動部材４２の移動に伴い支持ローラ４１が軸方向に移動されるので、その結果、軸３２すなわち搬送ローラ部３０が軸方向に移動される。よって、ガイド３３に規制された連続帳票１００の切れ刃ローラ部２０側への搬入角度が変えられる。
【００２８】
以上のようにして、ハンドル部４４の回転で簡易かつ迅速にミシン目１０２の傾斜を調整することができる。よって、従来のようにミシン目加工装置１０の稼働を停止させたり、切れ刃２３の取付位置を調整する等の煩雑な作業を行う必要がない。
また、連続帳票１００は、押し付けローラ部５０により張力が与えられた状態で搬送されるので、連続帳票１００にしわが発生することなくミシン目１０２の調整を行うことができる。
なお、搬送ローラ部３０が軸方向に移動しても、その量はわずか（例えば１ｍｍ以下）であるので、搬送ローラ部３０の移動による無端ベルト６５や６６の張力変化は無視することができる。
【００２９】
作業者が、ミシン目１０２の傾斜状態を確認しつつ、ミシン目１０２を形成していけば、ミシン目１０２を連続帳票１００の連続方向に対して直交する方向に収束させることができる。したがって、ミシン目１０２から折り返して積み重ねた連続帳票１００は、図９に示したように直立姿勢を保ち、図１０に示したような傾斜状態とはならない。
【００３０】
なお、ミシン目１０２の形成後は、左右両側のスプロケット孔１０１Ａ及び１０１Ｂを有するマージナル部１０３Ａ及び１０３Ｂをスリットする。また、マージナル部１０３とミシン目１０２との交差部には、連続帳票１００を各ミシン目１０２から切り離して単票としたときのエッジ部をなくすための略三角形状の穴１０４Ａ及び１０４Ｂが形成される。
【００３１】
以上、本発明の一実施形態について説明したが、本発明は、上述した実施形態に限定されることなく、以下のような種々の変形が可能である。
（１）駆動部６０は、プーリ６１、６３及び６４と、無端ベルト６５及び６６により駆動力を伝動したが、これに限らず、ギヤによっても行うことができる。そして、ギヤの歯幅を厚くすれば、搬送ローラ部３０が軸方向に移動しても、ギヤのかみ合わせを維持することができる。
（２）実施形態では、切れ刃２３を上側ローラ２２に３つ設けたが、切れ刃２３の数等は、連続帳票１００のミシン目１０２間のピッチに応じて異なるものであり、任意数設けることができる。
【００３２】
【発明の効果】
本発明によれば、ミシン目加工装置を停止させることなく、簡易かつ迅速にミシン目の傾斜を調整することができるので、ミシン目加工の作業能率を高めることができる。また、高品質の連続帳票を容易に製造することができる。
また、請求項２の発明によれば、連続帳票を搬送ローラ部に一定力で押し付けておくことができるので、連続帳票を安定して搬送することができ、連続帳票を張力を与えた状態で搬送して、しわの発生を防止することができる。
さらにまた、請求項３の発明によれば、連続帳票の幅に応じて、ガイドを所望位置に簡便に取り付けることができる。
さらに、請求項４の発明によれば、位置調整部を簡易な構造にすることができる。
【図面の簡単な説明】
【図１】本発明によるミシン目加工装置の一実施形態を示す斜視図である。
【図２】図１の正面図である。
【図３】図１の要部側面図である。
【図４】上側ローラに切れ刃が取り付けられた状態を詳細に示す断面図である。
【図５】ガイドが基体に固定された状態を詳細に示す断面図である。
【図６】ミシン目が形成された連続帳票を示す平面図である。
【図７】従来のミシン目加工装置の一例を示す平面図である。
【図８】図７の側面図である。
【図９】連続帳票が折りたたまれ、積み重ねられた状態を示す斜視図である。
【図１０】連続帳票が傾斜して積み重ねられた状態を示す斜視図である。
【符号の説明】
１０  ミシン目加工装置
１１（１１Ａ、１１Ｂ）  サイドフレーム
２０  切れ刃ローラ部
２１  下側ローラ
２２  上側ローラ
２３  切れ刃
３０  搬送ローラ部
３１  基体
３２  軸
３３（３３Ａ及び３３Ｂ）  ガイド
３３ａ  ネジ穴
４０  位置調整部
４１（４１Ａ及び４１Ｂ）  支持ローラ
４２  移動部材
４３  摺動板
４４  ハンドル部
４５  オネジ部
４６  メネジ部
５０  押し付けローラ部
５１  腕部
５２  基体
５３  ローラ
６０  駆動部
１００  連続帳票
１０２  ミシン目
【図１】
0003943685.tif 000002
【図２】
0003943685.tif 000003
【図３】
0003943685.tif 000004
【図４】
0003943685.tif 000005
【図５】
0003943685.tif 000006
【図６】
0003943685.tif 000007
【図７】
0003943685.tif 000008
【図８】
0003943685.tif 000009
【図９】
0003943685.tif 000010
【図１０】
0003943685.tif 000011